(57)【要約】  【課題】  開封後のリキャップ時において吐出部の開口部の内容物による詰まりを防止できるとともに、開口部から内容物が漏れるのを確実に防止できる包装用容器を提供すること。  【解決手段】  内容物２が充填された袋体３と、この袋体３の一端の中央部から突出状態で設けられ小径の開口部４を有する吐出部５と、前記開口部４を封止するよう脆弱部分６を介して設けられた蓋部７とを有し、開封時に前記脆弱部分６を破断することにより前記開口部４を介して内容物２が袋体３内から取り出されるとともに、リキャップ時には前記蓋部７を反転させて前記開口部４を閉塞するように構成され、さらに、前記吐出部５は、外周面に設けた雄ねじ１３を有する一方、前記蓋部７は、そのスカート部１５の内周面に前記雄ねじ１３に螺合する雌ねじ２０を有するとともに前記開口部４を閉塞するための閉塞体１７を有する。  【選択図】  図２
2007055677.tif 000002
【特許請求の範囲】
【請求項１】
内容物が充填された袋体と、この袋体の一端の中央部から突出状態で設けられ小径の開口部を有する吐出部と、前記開口部を封止するよう脆弱部分を介して設けられた蓋部とを有し、開封時に前記脆弱部分を破断することにより前記開口部を介して内容物が袋体内から取り出されるとともに、リキャップ時には前記蓋部を反転させて前記開口部を閉塞するように構成され、さらに、前記吐出部は、外周面に設けた雄ねじを有する一方、前記蓋部は、そのスカート部の内周面に前記雄ねじに螺合する雌ねじを有するとともに前記開口部を閉塞するための閉塞体を有することを特徴とする包装用容器。
【発明の詳細な説明】
【技術分野】
【０００１】
この発明は、包装用容器に関するものである。
【背景技術】
【０００２】
従来、図４、図５に示すような包装用容器がある。図４において、包装用容器３０は、内容物３１が充填された袋体３２と、この袋体３２の一端の中央部から突出状態で設けられ小径の開口部３３を有する吐出部３４と、前記開口部３３を封止するよう脆弱部分３５を介して設けられた蓋部３６とを備えている。そして、開封時に前記脆弱部分３５を破断することにより前記開口部３３を介して内容物３１が袋体３２内から取り出されるとともに、図５に示すように、リキャップ時には前記蓋部３６を反転させて前記開口部３３を閉塞するように構成されている。内容物３１としては、例えば練り歯磨き剤などの粘性を有するものが袋体３２内に充填されている。
【発明の開示】
【発明が解決しようとする課題】
【０００３】
しかし、リキャップ時においては、蓋部３６を吐出部３４に差し込むだけで開口部３３を閉塞するようにしていたので、袋体３２を押圧する場合などのように、何かの拍子に前記開口部３３の閉塞が解除され易く開口部３３から内容物３１が漏れ出すという問題があった。
また、リキャップ後においては例えば粘性が大の練り歯磨き剤が細長い開口部３３の内周に固い析出物として固着し、開口部３３を詰まらせる事態が発生し易くなり、リキャップして練り歯磨き剤を絞り出そうとしても前記詰まりによって絞り出し難くなるといった問題点があった。
【０００４】
この発明は、上述の事柄に留意してなされたもので、その目的は、開封後のリキャップ時において吐出部の開口部の内容物による詰まりを防止できるとともに、開口部から内容物が漏れるのを確実に防止できる包装用容器を提供することである。
【課題を解決するための手段】
【０００５】
上記目的を達成するため、この発明の包装用容器では、内容物が充填された袋体と、この袋体の一端の中央部から突出状態で設けられ小径の開口部を有する吐出部と、前記開口部を封止するよう脆弱部分を介して設けられた蓋部とを有し、開封時に前記脆弱部分を破断することにより前記開口部を介して内容物が袋体内から取り出されるとともに、リキャップ時には前記蓋部を反転させて前記開口部を閉塞するように構成され、さらに、前記吐出部は、外周面に設けた雄ねじを有する一方、前記蓋部は、そのスカート部の内周面に前記雄ねじに螺合する雌ねじを有するとともに前記開口部を閉塞するための閉塞体を有することを特徴としている。
【発明の効果】
【０００６】
この発明では、吐出部の外周面に雄ねじを設けるとともに、この雄ねじに螺合する雌ねじを蓋部のスカート部の内周面に設け、さらに、吐出部の開口部を閉塞するための閉塞体を蓋部に設けたので、開封時には脆弱部分を破断することにより開口部を介して内容物が袋体内から取り出されるが、開封後のリキャップ時には吐出部に蓋部がねじ結合された状態で、かつ、閉塞体によって開口部を閉塞することができる。そのため、リキャップ時に袋体を押圧するようなことがあっても、閉塞体による開口部の閉塞と、吐出部と蓋部間のねじ結合とにより、開口部から袋体内の内容物が漏れ出すといった事態を確実に回避できる。
また、リキャップ時に閉塞体により開口部を閉塞できるので、内容物による開口部の詰まりを防止できる。
【発明を実施するための最良の形態】
【０００７】
以下、この発明の実施の形態を、図を参照しながら説明する。なお、それによってこの発明は限定されるものではない。
【０００８】
図１〜図３は、この発明の一実施形態を示す。図１、図２は脆弱部分を介して蓋部が開口部を封止している開封前の状態を示し、図３は脆弱部分が破断されて蓋部が吐出部から外れ、吐出部の開口部を蓋部の閉塞体で閉塞しているリキャップ時の状態を示す。
【０００９】
図１〜図３において、１は包装用容器である。この包装用容器１は、内容物２が充填された平面視略長方形の袋体３と、この袋体３の長手方向における一端ｍの中央部から突出状態で設けられ小径の開口部４を有する吐出部５と、前記開口部４を封止するよう脆弱部分６（図１、図２参照）を介して吐出部５と一体に設けられた蓋部７を有し、開封時に前記脆弱部分６を破断することにより前記開口部４を介して内容物２が袋体３内から取り出されるとともに、リキャップ時には前記蓋部７を反転させて前記開口部４を閉塞するように構成されている。
【００１０】
前記内容物２としては、例えば、シャンプー剤、トリートメント剤、ボディーシャンプー剤、ローション剤、化粧水、練り歯磨き剤、液体浴用剤などの、液体やゲル状の粘性を有するものが挙げられる。
前記袋体３としては軟質の単一のフィルム体よりなるものを挙げることができる。この実施形態で用いる袋体３は、ポリエチレンテレフタレート（ＰＥＴ）、ポリプロピレン（ＰＰ）、ポリエチレン（ＰＥ）、ポリスチレン（ＰＳ）、塩ビ（ＰＶＣ）などの合成樹脂のいずれか一つよりなる単層で構成されている。
なお、前記袋体３を軟質のラミネートフィルムで構成してもよい。すなわち、前記袋体３を例えば内側から順に前記合成樹脂材料よりなるフィルム層、Ｏ2 バリア層およびアルミニウム薄膜層の三層構造で構成してもよい。
【００１１】
前記吐出部５および前記蓋部７は硬質で、袋体３と同種の材料で形成されている。
【００１２】
以下、包装用容器１の成形手順の一例について簡単に説明する。
例えば塩ビ（ＰＶＣ）よりなる同形の長方形形状の一対のフィルム体３ａ，３ｂを用いて袋体３を成形する。その際、一対のフィルム体３ａ，３ｂのそれぞれの袋体３長手方向の両側面部となる部分Ａ，Ｂ、Ｃ，Ｄと袋体３短手方向における一端の底部となる部分Ｅ，Ｆの三箇所を熱板による熱融着により熱シールする。この場合、一対のフィルム体３ａ，３ｂによって形成され、内容物２を充填するための開口部はフィルム体３ａ，３ｂ短手方向における他端に残す形で熱シールされる。続いて、前記開口部から内容物２を充填した後、図２（Ａ），（Ｂ）に示すように、前記開口部の中央部に位置するよう前記吐出部５を一対のフィルム体３ａ，３ｂの他端の前記開口部に取り付ける。この場合、一対のフィルム体３ａ，３ｂの他端を熱シールしながら、前記吐出部５の下端が一対のフィルム体３ａ，３ｂの他端に結合される。この吐出部５とフィルム体３ａ，３ｂとの結合は、超音波による接着か、あるいは、高電圧を用いたインパルスなど公知の接着技術にて行われる。このようにして包装用容器１を得ることができる。
【００１３】
なお、一対のフィルム体３ａ，３ｂを用いて両側面部と底部の三箇所を熱シールしてなる袋体３を示したが、一枚のフィルム体を折り曲げて、折り曲げ部分を底部とし、両側面部の二箇所を熱シールして袋体を形成してもよい。
【００１４】
さらに、袋体３を単層のフィルム体３ａ，３ｂで構成したものを示したが、上述したように単層のフィルム体に代えて袋体３を軟質のラミネートフィルムで構成してもよい。
【００１５】
以下、この発明の特徴的構成について説明する。
前記吐出部５は、筒状で、上部小径部分１０と下部大径部分１１と両者１０，１１を繋ぐ繋ぎ部分１２より構成され、前記開口部４は上部小径部分１０によって形成されている。そして、下部大径部分１１の外周面には雄ねじ１３が設けられており、図１、図２で示す開封前の状態では、内容物２が吐出部５内まで充填されており、開封時には、例えば袋体３を押圧することにより、前記開口部４内に形成される開口路から内容物２が吐出するよう構成されている。尚、５ａは吐出部５の下端両側部に設けられた突出部である。
一方、前記蓋部７は、キャップ状で下方開口７ａを有するよう形成されており、外形が円形で平板形状の天面部１４と、天面部１４の周端から連設されるスカート部１５とから構成される。２１はスカート部１５の外周面で縦方向に形成されたリブ状の掴み部で、リキャップ時に蓋部７の開閉操作を容易に行えるためにスカート部１５の外周面に沿って所定の間隔を有する状態で複数個設けられている。さらに、スカート部１５と天面部１４によって囲まれる空間Ｓ内には開口部４を閉塞するための閉塞体１７が設けられている。この閉塞体１７は天面部１４の下面１６における中央部分から下方に突出する状態で天面部１４とは一体に形成されている。閉塞体１７は先細りのテーパ形状に形成されている。閉塞体１７の下方突出長さＬはリキャップ時には前記蓋部７を反転させて前記開口部４を閉塞できる長さであればよい。そして、開封前の包装用容器１においては、天面部１４の上面１８における中央部分と前記開口部４の上端面４ａとは脆弱部分６を介して結合されている。さらに、スカート部１５の内周面には、前記雄ねじ１３に螺合する雌ねじ２０が形成されている。
【００１６】
而して、開封時に前記脆弱部分６を破断することにより前記開口部４を介して内容物２が袋体３内から取り出されるとともに、リキャップ時には前記蓋部７を反転させて前記開口部４を閉塞できる。この場合、開封後のリキャップ時には吐出部５に蓋部７がねじ結合された状態で、かつ、閉塞体１７によって開口部４を閉塞することができる。そのため、リキャップ時に袋体３を押圧するようなことがあっても、閉塞体１７による開口部４の閉塞と、吐出部５と蓋部７間のねじ結合とにより、開口部４から袋体３内の内容物２が漏れ出すといった事態を確実に回避できる。
また、リキャップ時に閉塞体１７により開口部４を閉塞できるので、内容物２による開口部４の詰まりを防止できる。
【００１７】
ここで、前記吐出部５の雄ねじ１３および／または蓋部７の雌ねじ２０の一部に、ねじ山が低くなるまたは無くなる不連続部を設けて、いわゆる飛びねじとしてもよく、この場合には、成形時に無理抜き可能となり、製造コストの更なる低減を図ることが可能となる。
【図面の簡単な説明】
【００１８】
【図１】この発明の一実施形態における開封前の斜視図および内容物が充填された袋体を示す図である。
【図２】（Ａ）は上記実施形態における開封前の状態を示す構成説明図、（Ｂ）は図２（Ａ）のＢ−Ｂ線断面図である。
【図３】上記実施形態におけるリキャップ時の状態を示す構成説明図である。
【図４】従来例における開封前の状態を示す構成説明図である。
【図５】従来例におけるリキャップ時の状態を示す構成説明図である。
【符号の説明】
【００１９】
１      包装用容器
２      内容物
３      袋体
４      開口部
５      吐出部
６      脆弱部分
７      蓋部
１３    雄ねじ
１５    スカート部
１７    閉塞体
２０    雌ねじ
【図１】
2007055677.tif 000003
【図２】
2007055677.tif 000004
【図３】
2007055677.tif 000005
【図４】
2007055677.tif 000006
【図５】
2007055677.tif 000007